(57)【特許請求の範囲】
【請求項１】
操作板等を備えたスタンドベースに支柱を立て、ネックピースを介してファンモータを内蔵したモータカバーと、該モータカバーにガードが取り付けられ、該ガード内にモータに取り付けられた羽根を有する扇風機において、該スタンドベース前方に前記操作板を配置すると共に、イオン発生装置のイオン放出部分を、前記操作板の動作制御用の電子部品基板の上方に設けたことを特徴とする扇風機。
【請求項２】
前記イオン発生装置は、イオン放出角度を前方斜めに設定されることを特徴とする請求項１に記載の扇風機。
【発明の詳細な説明】
【０００１】
【発明の属する技術分野】
本発明はイオン発生機能を有する扇風機に関するものである。
【０００２】
【従来の技術】
近年、特にマイナスイオンは、筋肉組織に貯まった乳酸を中和することにより疲労感の緩和を行ない、血液中のガンマーグロプリンを増やし病気に対する抵抗力を高める等の効果があるとして注目されている。そこで、リラクスゼーション関連の商品としてイオン発生装置を付加した電気製品が話題を集めている。
【０００３】
その中で、例えばエアコン等はかなりの高額商品であるし、空気清浄機などは風量が少なくイオンを部屋に充満させるには不十分であるので、風を部屋中に循環させ更に安価であることから扇風機にイオン発生装置を付加させたものが、イオン発生関連の電気製品として候補に挙がっている。
【０００４】
【発明が解決しようとする課題】
しかしながら、扇風機は構造が簡単なため、高圧発生回路が必要なイオン発生装置の設置場所が問題である。また、ガード近傍の場合、ガード前方は電源の供給が問題であり、ガード後方は羽根やガードがイオンの行く手を遮り、スタンド上方やスライドパイプ近傍においてもイオン発生装置が大きいため、外観上好ましくないので、スペースの問題や、配線の簡便さを考慮した場合、スタンドベースに取り付けるのが最適と考えられるが、スタンドベースにイオン発生装置を取り付けた場合、ファンからの距離が遠くイオンを少しでも上方に飛ばす工夫が必要である。そこで本発明の目的は、イオン発生装置を安全で、省スペース、デザイン性を保つ場所に配置し、且つ、効率良くイオンの発生がなされ、空気の質量と同等であるイオンを撹拌して部屋中に分散させることができる扇風機を提供することである。
【０００５】
【課題を解決するための手段】
上記課題を解決するために、本発明の請求項１に係る扇風機は、操作板等を備えたスタンドベースに支柱を立て、ネックピースを介してファンモータを内蔵したモータカバーと、該モータカバーにガードが取り付けられ、該ガード内にモータに取り付けられた羽根を有する扇風機において、該スタンドベース前方に前記操作板を配置すると共に、イオン発生装置のイオン放出部分を、前記操作板の動作制御用の電子部品基板の上方に設けた構成とした。
【０００６】
本発明の請求項２に係る扇風機は、操作板等を備えたスタンドベースに支柱を立て、ネックピースを介してファンモータを内蔵したモータカバーと、該モータカバーにガードが取り付けられ、該ガード内にモ−タに取り付けられた羽根を有する扇風機において、該スタンドベース前方にイオン発生装置を、イオン放出角度を前方斜めに設定されるように、設けた構成とした。
【０００７】
こうして、スタンドベース前方に斜めにイオン発生装置を設けることにより、イオンは斜め前方上方に発射された後、ファンの風に乗り部屋中に拡散されると共に、基本的に前方に備え付けられる制御用の電子部品基板と効率的に絶縁距離を保つことができる。
【００１６】
【発明の実施の形態】
本発明の扇風機の実施形態を図面に基づき説明する。図１において、スタンドベース１に支柱２を立て、その内部にスライド可能なスライドパイプ３を備えている。更に、ネックピース４を介して、フアンモータを内蔵したモータカバー５があり、そのモータカバーにガード６が取り付けられ、ガード６内にはモ−タに取り付けられた羽根（図示せず）がある。スタンドベース１には操作板７等を備えている。
【００１７】
スタンドベース１の操作板７には、前方にイオン吹出口１１を有するイオン発生装置８が取り付けられている。イオン発生装置８の設置に際し、仮に、イオン発生装置８のイオン吹出口１１の方向を真上に向けた場合は、風の反対方向にイオンが流れてしまったり、ガ−ド６やスタンド２に吸着して必要方向に飛ぶイオン量が減少する。また、イオン吹出口１１の方向を真横にした場合は、水平方向に流れるため、当然、扇風機の風の影響を受けづらく、イオンの拡散に不利となる。
【００１８】
そこで、かかる不都合を回避するために、イオン発生装置８はイオン吹出口１１からのイオン発射角度を前方斜めに設定される。斜めにイオン発生装置８を設けることにより、イオンは斜め前方上方に発射された後、ファンの風に乗り部屋中に拡散されると共に、基本的に前方に備え付けられる制御用の電子部品基板９と効率的に絶縁距離を保つことができる。
【００１９】
また、イオン発生装置８を操作制御する電子部品基板９にはトライアックをはじめ抵抗など、動作時に熱を発するものが使用されているので、このイオン発生装置８を電子部品基板９の上方に設置する。これにより、イオンは空気中の分子に電子を付加されマイナスイオンになるため質量は空気と変わらないので、電子部品基板９から発せられる熱によってイオンが熱せられることにより上昇し、ファンの風に乗り、部屋中にイオンを分散させることができる。
【００２０】
また、扇風機として、ネックピース内に横首振り用のモータが、モータカバー内に縦首振り用のモータが備え付けられていて、この両モータの組み合わせにより、左右、上下運動の合成による立体首振りを実現するタイプの扇風機を用い、このイオン発生装置８を適用すると、より効率的なイオンの拡散が可能となる。
【００２１】
その場合、スタンドベース１に設置されるイオン発生装置８は、支柱２より前方で、且つ、首振り動作の支点より前方に設ける必要がある。この立体首振りにより、イオン発生装置８のイオン吹出口１１から発生したイオンを、ファンの立体の風により撹拌され、空気の循環と同様にイオンは室内に拡散し効率よく拡散させることができる。
【００２２】
また、イオン発生装置８は扇風機の操作板７上の主スイッチとは別のスイッチ１０により個別に入切可能にされている。このことにより、扇風機の運転中に任意にイオン発生を選択することができる。更に、イオン発生装置のスイッチ１０をモータの駆動中にのみ入力可能にすると、効率良く周辺にマイナスイオンを分散させることができ、電気代の無駄を省くことができる等の効果がある。
【００２３】
更に、イオン発生装置８の発振器出力を規制する入力電圧を、扇風機の風量の切替えに応じて制御することにより、イオン発生量を風量ごとに調節するような回路構成とすることもできる。
【００２４】
【発明の効果】
【００２５】
以上のように、本発明の扇風機は、イオン発生装置のイオン放出部分を操作板の動作制御用の電子部品基板上に設けることにより、イオンは空気中の分子に電子を付加されマイナスイオンになるため質量は空気と変わらないので、電子部品基板から発せられる熱によってイオンが熱せられることにより上昇し、ファンの風に乗り、部屋中にイオンを分散させることができる。
【図面の簡単な説明】
【図１】本発明の実施形態の扇風機の側面図。
【図２】本発明の扇風機のスタンドベースの側面付分断面図。
【図３】本発明の扇風機のスタンドベースの上面図。
【符号の説明】
１          スタンドベース
２          支柱
３          スライドパイプ
４          ネックピース
５          モータカバー
６          ガード
７          操作板
８          イオン発生装置
９          電子部品基板
１０        スイッチ
１１        イオン吹出口
【図１】
0003759586.tif 000002
【図２】
0003759586.tif 000003
【図３】
0003759586.tif 000004